(57)【要約】【構成】本発明は、測定データ（１９）を作成および収集するためのメモリ（１６）を備えた測定手段（１５）と、前記測定手段を使用して作成された前記測定データを含む機械読み取り可能なコード（１２）を示すための出力デバイス（１４、１４’）と、前記出力デバイスおよび前記測定手段用の電源（１７）と、前記測定データを処理および／または格納するためのサーバ構成（１１）と、前記出力デバイスから前記コードを読み取り、前記サーバ構成の前記データ送信が設定された１つまたは複数の読み取りデバイス（１３．１、１３．２）と、を具備し、出力デバイスとメモリを備えた測定手段とがモニタリング対象（２０．１、２０．２）に配置され、前記モニタリング対象（２０．１、２０．２）のうち１つまたはそれ以上が前記システム（１０）に配置されるデータ送信システムに関する。前記出力デバイスは、前記出力デバイスがゼロパワーに設定されるパッシブ状態を有し、前記出力デバイスは、前記読み取りデバイスを使用して読み取り可能なコード（１２）を、前記ゼロパワーパッシブ状態で示すように設定される。【選択図】図１
2021502039.tif 000002
【特許請求の範囲】
【請求項１】
測定データ（１９）を作成および収集するためのメモリ（１６）を備えた測定手段（１５）と、
前記測定手段（１５）を使用して作成された前記測定データ（１９）を含む機械読み取り可能なコード（１２）を示すための出力デバイス（１４、１４’）と、
前記出力デバイス（１４、１４’）および前記測定手段（１５）用の電源（１７）と、
前記測定データ（１９）を処理および／または格納するためのサーバ構成（１１）と、
前記出力デバイス（１４、１４’）から前記コード（１２）を読み取り、前記サーバ構成（１１）のデータ送信が設定された１つまたは複数の読み取りデバイス（１３．１、１３．２）と、を具備し、
出力デバイス（１４、１４’）とメモリ（１６）を備えた測定手段（１５）とがモニタリング対象（２０．１、２０．２）に配置され、前記モニタリング対象（２０．１、２０．２）のうち１つまたはそれ以上が前記システム（１０）に配置され、
前記出力デバイス（１４、１４’）は、前記出力デバイス（１４、１４’）がゼロパワーに設定されるパッシブ状態を有し、
前記出力デバイス（１４、１４’）は、前記読み取りデバイス（１３．１、１３．２）を使用して読み取り可能なコード（１２）を、前記ゼロパワーパッシブ状態で示すように設定されることを特徴とするデータ送信システム。
【請求項２】
前記サーバシステム（１１）と、好ましくは測定手段（１５）および出力デバイス（１４、１４’）から形成される測定装置（３０）との間のデータ送信は、双方向に、好ましくは前記読み取りデバイス（１３．１、１３．２）を介して行われる請求項１に記載のシステム。
【請求項３】
前記測定手段（１５）および前記出力デバイス（１４）から形成されるように設定された測定装置（３０）の動作は、読み取りデバイス（１３．１、１３．２）を介してサーバシステム（１１）によって制御されるように設定され、
前記制御により、
前記測定装置（３０）から測定データ（１９）を収集する要求、
前記測定装置（３０）に属する測定手段（１５）および／または出力装置（１４、１４’）の励起、
前記測定装置（３０）のクロックの同期、
例えば、起動および／または設定の変更に関連する前記測定手段（１５）および／または出力デバイス（１４）の設定、
のうち１つまたはそれ以上が、前記サーバシステム（１１）から前記測定装置（３０）に送信されるように設定される請求項２に記載のシステム。
【請求項４】
前記測定装置（３０）の設定を行うため、
前記サーバ構成（１１）は、前記設定が符号化されたウェブコンテンツ（３４）を作成し（６０４）、前記作成したウェブコンテンツ（３４）を読み取りデバイス（１３．１、１３．２）上に示すように設定され、
前記読み取りデバイス（１３．１、１３．２）は、前記サーバ構成（１１）から前記ウェブコンテンツ（３４）を受信し（６０７）、前記測定装置（３０）に設定を入力するために前記受信したウェブコンテンツ（３４）を示す（６０８）ように設定され、
前記測定装置（３０）は、前記ウェブコンテンツ（３４）を検出し、前記検出したウェブコンテンツ（３４）から前記設定を復号する（６０９）ように設定される請求項３に記載のシステム。
【請求項５】
前記測定装置（３０）の設定は、前記サーバシステム（１１）が前記読み取りデバイス（１３．１、１３．２）を介して前記測定装置（３０）の制御を行う前に、好ましくは前記サーバ構成（１１）によって作成されたウェブページを介して、前記読み取りデバイス（１３．１、１３．２）によって前記サーバ構成（１１）に決定される（６０３）ように設定される請求項３または４に記載に記載のシステム。
【請求項６】
受信手段（２７’）は、前記読み取りデバイス（１３．１、１３．２）を介して前記サーバ構成（１１）によって前記測定装置（３０）の制御を行うように、前記測定装置（３０）に接続して配置され、
データ入力手段（３２’’）は、前記読み取りデバイス（１３．１、１３．２）によって前記測定装置（３０）の前記制御を行うように、前記読み取りデバイス（１３．１、１３．２）に接続して配置される請求項２〜５のいずれか一項に記載に記載のシステム。
【請求項７】
前記読み取りデバイス（１３．１、１３．２）のディスプレイ（３２）などの光を形成するように配置された要素（３２＊）は、前記読み取りデバイス（１３．１、１３．２）のデータ入力手段（３２’’）として機能するように配置される請求項６に記載のシステム。
【請求項８】
前記測定装置（３０）から測定データ（１９）を収集する要求が、前記読み取りデバイス（１３．１、１３．２）によって読み取られた前記コード（１２）への応答として作成および送信され、前記応答に基づいて送信が行われるように設定される請求項３〜７のいずれか１項に記載のシステム。
【請求項９】
前記サーバ構成（１１）は、前記測定装置（３０）から測定データ（１９）を収集する必要があるか否かを、前記読み取りデバイス（１３．１、１３．２）によって読み取られた前記コード（１２）に基づいて判定するように設定される請求項３〜８のいずれか一項に記載のシステム。
【請求項１０】
前記測定手段（１５）は、
測定データ（１９）を作成するための１つまたはそれ以上の形成手段（１８）と、
前記出力装置（１４、１４’）用の形成手段（１８）によって作成された前記測定データ（１９）を処理するプロセッサ手段（２１）と、を具備する請求項１〜９のいずれか１項に記載のシステム。
【請求項１１】
前記測定手段（１５）は、前記メモリ（１６）と共に低電力である請求項１〜１０のいずれか一項に記載のシステム。
【請求項１２】
前記出力デバイス（１４、１４’）は、出力が好ましくは１つまたはそれ以上のバッチである動的な電子ペーパーディスプレイまたはワンユースの出力手段であり、
前記読み取りデバイス（１３．１、１３．２）は、モバイルデバイス、データ送信手段を備えたカメラデバイス、ＡＲメガネ、およびＶＲメガネのうち１つまたはそれ以上を含む請求項１〜１１のいずれか一項に記載のシステム。
【請求項１３】
紙状または同様のワンユースの出力手段は、前記測定手段（１５）によって作成されたおよび／またはそこで処理された前記測定データ（１９）から、例えば、物理的、化学的、および／または電気的効果によって、コード（１２）を作成する出力デバイス（１４’）となるように設定され、前記ワンユースの出力手段は、例えば、モニタリングが終了した際に、好ましくはモニタリング対象（２０．１）から取り外すことができる請求項１２に記載のシステム。
【請求項１４】
前記測定手段（１５）のメモリ（１６）は、例えばＦＲＡＭタイプのメモリなど、好ましくは不揮発性の低電力メモリを含んで配置される請求項１〜１３のいずれか一項に記載のシステム。
【請求項１５】
前記読み取りデバイス（１３．１、１３．２）の少なくとも一部は、データ出力手段（３２’）を備え、
前記モニタリング対象（２０．１、２０．２）に関するコンテキストデータ（３３）は、前記双方向データ送信の一部として、前記サーバ構成（１１）から前記読み取りデバイス（１３．１、１３．２）に移動して、前記データ出力手段（３２’）によって読み取りデバイス（１３．１、１３．２）上に示されるように設定され、
前記コンテキストデータ（３３）の少なくとも一部は、前記読み取りデバイス（１３．１、１３．２）によって読み取られ、そこから処理された前記コード（１２）に基づいて前記サーバ構成（１１）によって作成される請求項２〜１４のいずれか１項に記載のシステム。
【請求項１６】
前記機械読み取り可能なコード（１２）は、前記測定装置（３０）に属するディスプレイコントローラ（２３）によって作成される前記コード（１２）の主要部分を形成する静的部分（１２’、１２’’’）を含むように、または物理的なプリントアウトとして設定される、および特に測定データ（１９）および／または同様の可変データ用に設定された可変部（１２’’）として設定される請求項１〜１５のいずれか一項に記載のシステム。
【請求項１７】
前記測定手段（１５）は、例えばワンユースの暗号化キー（６２）を使用するＸＯＲ暗号化方法などの低電力暗号化方法を使用して前記測定データ（１９）を暗号化するように設定される、請求項１〜１６のいずれか一項に記載のシステム。
【請求項１８】
前記暗号化された測定データ（６３）は、すでに暗号化に使用された前記暗号化キー（６２）のメモリ位置に格納されるように設定される請求項１７に記載のシステム。
【請求項１９】
前記モニタリング対象（３１）は、暗号化に基づいて認証されるように設定される請求項１〜１８のいずれか一項に記載のシステム。
【請求項２０】
前記読み取りデバイス（１３．１、１３．２）のユーザ（２９）の、前記モニタリング対象（２０．１、２０．２）に対する存在を認証し、
前記サーバ構成（１１）は、認証ＩＤが符号化されたウェブコンテンツを作成し、前記読み取りデバイス（１３．１、１３．２）上に示すように設定され、
前記読み取りデバイス（１３．１、１３．２）は、前記サーバ構成（１１）から前記ウェブコンテンツ（３４）を受信し、前記測定装置（３０）に前記認証ＩＤを入力するために前記受信したウェブコンテンツ（３４）を示すように設定され、
前記測定装置（３０）は、前記ウェブコンテンツを検出し、前記検出したウェブコンテンツから前記認証ＩＤを復号する（６０９）ように設定され、
前記測定装置（３０）は、前記認証ＩＤに基づいて前記コード（１２）を更新し、前記更新したコード（１２）を出力デバイス（１４、１４’）に示すように設定され、
前記読取デバイス（１３．１、１３．２）は、前記コード（１２）を読み取り、前記コード（１２）中に配置されたデータを前記サーバ構成（１１）に送信するように設定され、
前記サーバ構成（１１）は、前記データに基づいて、前記ユーザ（２９）の前記モニタリング対象（２０．１、２０．２）に対する存在を認証するように設定される請求項２〜１９のいずれか一項に記載のシステム。
【請求項２１】
モニタリング対象（２０．１、２０．２、３１）をモニタリングする請求項１〜２０のいずれか一項に記載のデータ送信システム（１０）の使用。
【発明の詳細な説明】
【技術分野】
【０００１】
本発明は、データ送信システムに関し、前記データ送信システムは、
測定データを作成および収集するためのメモリを備えた測定手段と、
前記測定手段を使用して作成された前記測定データを含む機械読み取り可能なコードを示すための出力デバイスと、
前記出力デバイスおよび前記測定手段用の電源と、
前記測定データを処理および／または格納するためのサーバ構成と、
前記出力デバイスから前記コードを読み取り、前記サーバ構成の前記データ送信が設定された１つまたは複数の読み取りデバイスと、を具備し、
出力デバイスとメモリを備えた測定手段とがモニタリング対象に配置され、前記モニタリング対象のうち１つまたはそれ以上が前記システムに配置される。
【背景技術】
【０００２】
動的ＱＲコード（登録商標）、より広義にはコードを利用したモニタリングソリューションは、国際公開ＷＯ  ２０１３／０４６２３１  Ａ１により既知である。その中で、モニタリングされている対象の状態が変化すると、ＱＲコードも、当該状態に対応するように更新される。言い換えると、対象の状態データは、サーバのＵＲＬアドレスを含むＱＲコードに含むことができる。ＱＲコードは、例えばモバイルデバイスのカメラおよびＱＲコードアプリケーションを利用する既知の方法で読み取ることができる。当該読み取りに基づいて、ＱＲコードで特定されたサーバにサービス要求が送信され、ＱＲコードに含まれる対象状態データおよび測定データも、同じサービス要求を利用して送信される。
【０００３】
また、上述の種類の別のソリューションが、米国特許出願公開ＵＳ  ２０１７／０２７０２４９  Ａ１から既知である。ここで既知であるのは、動的ＱＲコードを使用して埋め込みＵＲＬアドレスにデータを転送することであり、これは医療機器に利用されている。
【０００４】
しかしながら、上述のソリューションのいくつかの欠点は、それらの電力消費の高さと、外部からの継続的な電力供給を受けない対象に対する適用性の低さである。さらに、上記ソリューションは、例えば、物流アプリケーションへの適用が困難である。物流デリバリチェーンでは、通常、膨大なグループのモニタリング対象が、常時モニタリングされるだけでなく、デリバリチェーンの様々な段階においてモニタリングされる。これにより、システムのユーザビリティに困難が生じる。対象のモニタリングに関連する動作は、可能な限り簡単にする必要がある。例えば、システムを起動する場合、データを読み取り、これをサーバに送信することで、対象のモニタリングが、実質的にコストに影響しなくなる。より広いレベルでは、モニタリングの利便性についても同様のことが言える。また、読み取りデバイスを実装する場合、システムは可能な限りシンプルにする必要があり、これにより、システムの実装に関連する読み取りデバイスの特別な設定または特徴をシステムが要求することなく、機械読み取り可能なコード読み取り機能を備えたコンシューマデバイスを用いることができる。
【０００５】
上記に加え、測定手段の動作を制御する場合、例えば、起動中における当該測定手段のプログラミングなど、同様の利便性の問題が生じる。従って、価格が上昇し、特に大容量アプリケーションでのユーザビリティが低下するため、測定手段は、要件の厳しいデータ入力手段を備えることができない。データの読み取りと送信に加えて、測定手段の起動とプログラミングも可能な限りシンプルにする必要があり、これにより、大容量アプリケーションであってもシステムのユーザビリティが劣化しない、すなわち、システムに関連する動作に過度の時間や労力がかからない。
【０００６】
既知のソリューションでの暗号化と認証であっても、実装の信頼性に多くの課題が残る。ＱＲコードで送信されるデータの量は限られており、多くの場合不十分である。
【先行技術文献】
【特許文献】
【０００７】
【特許文献１】国際公開ＷＯ  ２０１３／０４６２３１  Ａ１
【特許文献２】米国特許出願公開ＵＳ  ２０１７／０２７０２４９  Ａ１
【発明の概要】
【０００８】
本発明は、改善されたデータ送信システムを作成することを目的とする。本発明に係るシステムの特徴は、添付の請求項１に記載の通りである。
【０００９】
本発明は、例えば、幹線電力など外部からの継続的な電力供給を受けない大容量のモニタリング対象のための、利便性に優れたデータ送信システムを可能にする。本発明では、測定手段により作成された測定データを含む機械読み取り可能なコードを示し、モニタリング対象に配置される出力デバイスは、ゼロパワーになるように設定されたパッシブ状態を有する。さらに、出力デバイスは、読み取りデバイスで読み取り可能なコードを、ゼロパワーのパッシブ状態で示すように設定される。その場合、出力デバイスは低電力であると言うことができる。モニタリング対象に配置される出力デバイスも測定手段の電源も、セルフパワー式とすることができる。出力デバイスに加えて、測定手段も、メモリ同様に低電力にすることができる。本発明によれば、好ましくはモニタリング対象の全寿命を通して持続する、非常にエネルギー効率の高いシステムを実施することができる。
【００１０】
システムのユーザビリティに関連する重大な利点は、読み取りデバイスで読み取り可能なコードをパッシブ状態のゼロパワーで示すように設定される出力デバイスの特徴によっても、実現される。また、電力を抑えることに加えて、測定手段をセルフパワー式として実装することができるとともに、所望のコードを読み取り、ユーザに特別な操作を行わせることなく、表示することができる。これは、読み取るべきモニタリング対象が大量にあり、コードの呼び出しに関する操作が動作を遅くする場合の大容量アプリケーションのユーザビリティに対する重大な利点である。本特徴によれば、コードを、例えば常時読み取ることができる。
【００１１】
一実施形態によれば、本発明では、測定手段および出力デバイスで形成される測定装置とサーバ構成との間で双方向にデータ送信を行うことができ、好ましくは、読み取りデバイスによる送信が行われる。従って、測定データを測定手段からサーバ構成に送信することに加えて、サーバ構成を使用して、より具体的にはサーバ構成を介して、測定装置を制御することができる。この制御によって、読み取りデバイスは異なる複数のタスクを行うことができる。読み取りデバイスは、測定装置の設定に用いることができる。これには、例えば、読み取りデバイスを使用して測定装置に設定を入力することが含まれる。一方で、当該設定は、サーバ構成から、または元の読み取りデバイス自体から入力される。従って、読み取りデバイスを使用した測定装置の設定においては、設定を入力することに加えて、このように、測定装置をそれぞれプログラミングする前に、読み取りデバイスからサーバ構成に対して設定を行うことを含んでもよい。読み取りデバイスによる設定、または他の方法でサーバ構成に対して行う設定に基づいて、サーバ構成は、例えばウェブコンテンツを形成することができ、当該ウェブコンテンツは、設定が符号化されており、読み取りデバイスを使用してサーバ構成から受信される。続いて、読み取りデバイス側において、当該ウェブコンテンツ内に符号化されている設定が、測定装置に入力される。これにより、上述のように既知のコンシューマデバイスを使用する場合であっても、追加の特徴、機能、またはソフトウェアを必要とせずに測定装置に関連する設定を容易に行うことができるため、システムのユーザビリティが向上する。
【００１２】
さらに、一実施形態によれば、双方向データ送信によって、読み取りデバイスが、１つのビジュアルコードに一致しない測定対象から測定データを読み取ることができる。読み取りデバイスは、前のコードを読み取ってサーバ構成に送信した直後に、次のコードを要求できることが望ましい。これにより、大量のデータを簡単に読み取ることが可能になる。さらに、双方向データ送信によって、測定装置および／またはそれに属する出力デバイスの励起のみならず、サーバ構成による測定装置のクロック同期も可能になる。
【００１３】
一実施形態によれば、本発明は、低電力を使用して暗号化を実施することも可能にする。低電力暗号化を実施する１つの方法は、乱数とＸＯＲ暗号化方式とに基づくワンユース鍵暗号化である。これにより、より大きなプロセッサパワーを必要とする暗号化アルゴリズムなしに、必要となるメモリ容量が比較的小さく、エネルギー効率の高い暗号化を実施するための簡単な方法を提供することができる。
【００１４】
本発明によれば、対象のデータを収集、作成、送信および処理するための、改善がされ、利便性に優れ、エネルギー効率が良く、データのセキュリティが高いデータ送信システムを実施することが可能である。低電力出力デバイス、プロセッサ、および測定手段に属し、測定装置および／またはモニタリング対象の耐用年数を満たすように容量が設定されたメモリは、簡単なユーザビリティ、および効率的かつシンプルに実現可能な暗号化と組み合わせて、本発明によるデータ送信システムの上記利点および既知のシステムに関連する改善を実現可能にする。本発明の他の特徴は、添付の特許請求の範囲に記載されており、得られる追加の利点は、明細書部分に詳細に記載される。
【図面の簡単な説明】
【００１５】
以下の説明において、本発明は、以下に示される実施形態に限定されず、添付の図面を参照してより詳細に説明される。
【００１６】
【図１】図１は、データ送信システムの一例を簡略化して示す概略図である。
【図２】図２は、モニタリング対象に位置する測定装置の一例を簡略化して示す概略図を、ブロック図として示す概略図である。
【図３】図３は、ディスプレイデバイスおよび当該デバイスの示すコードの概略例を示す図である。
【図４】図４は、本発明によるシステムの動作を段階的に示すフロー図である。
【図５】図５は、測定データを処理する際の、システムに設けられた様々なパーツ間のシーケンス図である。
【図６】図６は、測定装置で設定を行う際の、システムに設けられた様々なパーツ間のシーケンス図である。
【図７】図７は、本発明において暗号化および復号化に使用される暗号化方法の一例を示す図である。
【図８】図８ａ〜８ｃは、読み取りデバイスの実装に関連する別の実施形態の例を示す図である。
【図９】図９は、測定装置に属する電子機器の例を示す図である。
【図１０】図１０ａおよび１０ｂは、低電力実装としての機械読み取り可能なコードに関連する複数の例を示す図である。
【図１１】図１１は、例えば図１０ａまたは１０ｂの低電力機械読み取り可能なコードを実装する１つの方法を示す図である。
【発明を実施するための形態】
【００１７】
図１は、データ送信システム１０の一例を簡略化して示す概略図である。システム１０の基本構成要素は、サーバ構成１１、１つまたはそれ以上の読み取りデバイス１３．１、１３．２、およびモニタリング対象２０．１、２０．２に配置された測定装置３０を含む。この測定装置３０は、そのパーツとして、出力デバイス１４と、メモリ１６を備えた測定手段１５と、電源１７とを含む（図２）。出力デバイス１４および、メモリ１６を備えた測定手段１５は、より広義には測定装置３０は、モニタリング対象２０．１、２０．２に配置され、１つまたはそれ以上のモニタリング対象がシステム１０に配置されてもよい。モニタリング対象は、固定であってもよいし、移動してもよい。固定のモニタリング対象の一例は、建物であり、例えば、湿度が測定されて格納される。移動するモニタリング対象の一例は、冷凍品の搬送手段とその中の搬送ユニットである。この場合、例えば搬送手段またはその中の個々の製品パッケージのコールドチェーンの温度を測定して格納することができる。
【００１８】
図１は、測定装置３０の出力デバイス１４のみをより詳細に示す。出力デバイス１４は、測定手段１５によって作成された測定データ１９に含まれる機械読み取り可能なコード１２を示すことで、読み取りデバイス１３．１、１３．２によって読み取られる測定データ１９を提供することを目的とする。コードの代わりに、機械読み取り可能なグラフィック識別子を参照してもよい。モニタリング対象２０．１、２０．２に関連するデータは、符号化された形式でコード１２に配置される。さらに、コード１２は、コード１２の符号化データ１９が読み取られた後どこに送信されるかについての情報を含むこともできる。
【００１９】
出力デバイス１４は、例えば、読み取り可能なコード１２を示すのに使用することのできる読み取り可能なデバイス、ディスプレイであり、従って、コード１２は、可視光学コード２４であることが好ましい。コード１２の一例はＱＲ（クイックレスポンス）コード２４である。コード１２は、高速に復号および読み取りがされることをその特徴としてもよい。さらに、コード１２の読み取りについて、当該コード１２を読み取る特別なデバイスを配置する必要はなく、既知のコンシューマモデルの読み取りデバイスを使用して処理できる点において有利である。コード１２は、主に、出力デバイス１４上で常時可視である。一方、設定された基準に基づいて、出力デバイス１４上で可視とすることもできる。これらの一例として、測定装置３０用の設定基準による励起、設定基準による測定装置３０の位置データ、および／または他の基準（例えば、システム１０のユーザ／管理者が設定可能な時間ベースの基準）を用いてもよい。
【００２０】
コード１２を示すための励起として、例えば、出力デバイス１４のボタンを押下してもよいし、光または音声信号など、出力デバイス１４で検出され励起として識別される信号であってもよい。励起は、例えば、読み取りデバイス１３．１、１３．２によって与えることができる。励起は、例えばサーバ構成１１によって生成することができる。励起は、例えば、読み取りデバイス１３．１、１３．２を介して、出力デバイス１４に送信してもよい。これは、サーバ構成１１による、読み取りデバイス１３．１、１３．２を介した、出力デバイス１４および／または測定手段１５の、より広義には測定装置３０の、遠隔制御をより広義に指してもよい。
【００２１】
出力デバイス１４、１４’は、電力消費の状態が異なるタイプであってもよい。これらの出力デバイス１４、１４’の状態の１つは、パッシブな電力消費状態を示してもよい（例えば、「スリープモード」）。パッシブ状態では、出力デバイス１４、１４’はゼロ電流に設定される、すなわち、実質的には電力を消費しない。さらに、出力デバイス１４、１４’は、読み取りデバイス１３．１、１３．２を使用して読み取り可能なコード１２を、ゼロパワーのパッシブ状態で示すように設定される、あるいはそのように設定されるべきである。出力デバイス１４、１４’は、コード１２が更新された場合にのみ電流を使用すると言うことができる。出力デバイス１４、１４’は、低電流であるとも言うことができる。さらに、セルフパワー式で実装することもできる。出力デバイス１４、１４’の更新を停止してもよい。これは、例えばコード１２を読み取らないことが分かっている場合など、特定の場合に実行可能である。これは、例えば、手動で設定された期間であってもよい。または、測定装置３０に属するフォトセンサ２７に基づく適応省電力状態であってもよい。この場合、例えば真っ暗な場合、出力デバイス１４、１４’は更新されない。さらに、温度および／または振動に基づく基準を用いてもよい。
【００２２】
コード１２が出力デバイス１４、１４’にいつ示されるかは、例えば、上述したように適宜設定することができる。システム１０のユーザビリティの観点からも、パッシブ状態の場合にコード１２を示す出力デバイス１４、１４’が望ましい。コード１２を呼び出すための操作を別途行う必要がなく、必要なときにいつでも読み取ることができる。本特徴は、実質的にモニタリング対象２０．１、２０．２の読み取りを高速化する。
【００２３】
出力デバイス１４の例として、例えばｅ−Ｉｎｋまたはｅ−Ｐａｐｅｒディスプレイとして一般に知られる電子ペーパーディスプレイ技術に基づく表示手段を用いることができる。商用例の１つとして、Ｇｏｏｄ  Ｄｉｓｐｌａｙ社製のＧＤＥＷ０１５４Ｔ８が挙げられる。出力デバイスは、ワンユースの出力手段１４’（図８ａ〜８ｃ）であってもよいし、例えば、パルス式のディスプレイであってもよい。従って、出力デバイス１４、１４’は動的であっても静的であってもよい。
【００２４】
システム１０は、出力デバイス１４から測定データ１９を含むコード１２を読み取り、サーバ構成１１とデータ送信を行う、１つまたはそれ以上の読み取りデバイス１３．１、１３．２を含む。さらに、読み取りデバイス１３．１、１３．２の少なくとも一部は、サーバ構成１１との双方向データ送信用に設定してもよい。読み取りデバイスは、例えば、カメラ付き移動局、「スマートフォン」、タブレットデバイスなど人１３．１が操作する読み取りデバイス１３．１であってもよいし、例えば、ＡＲまたはＶＲ（Ａｕｇｍｅｎｔｅｄ  Ｒｅａｌｉｔｙ：拡張現実／Ｖｉｒｔｕａｌ  Ｒｅａｌｉｔｙ：仮想現実）メガネであってもよい。読み取りデバイス１３．１は、光学およびグラフィックコード１２を読み取るための機能２８（例えば、ＱＲコード２４読み取りデバイスとして使用されるカメラ、および送信／サービス要求用のＱＲコードを処理する機能）を備えることができる、および／または出力デバイス１４の励起を生成することができる。機能２８は、ビジュアルＱＲコード２４をデータに復号するため、さらに、好ましくはデータをＱＲコード２４に含まれるインターネットアドレスに送信するために、用いることができる。
【００２５】
読み取りデバイス１３．２は自動であってもよい。読み取りデバイス１３．２は、データ送信ネットワークに結合されることでデータ送信手段を得たカメラを使用して実装可能であり、コード１２として機能する光学コード２４を移動局のように読み取るデータ送信手段を備えることができる、および／または出力デバイス１４の励起を生成することができる。例えば、まさに移動局などの読み取りデバイス１３．２は、例えば、コンベアベルト上を移動するモニタリング対象をモニタリングしてもよく、対象が読み取りデバイス１３．２を通過する際に自動的に読み取りを行う。
【００２６】
システム１０に属するサーバ構成１１は、例えば、測定手段１５、すなわち測定装置３０からコード１２を読み取ることで得られた測定データ１９を処理および／または格納するためのものである。サーバ構成１１は、少なくとも１台のサーバコンピュータを含むクラウドシステムまたはサービスを形成してもよい。コード１２を読み取った結果、読み取りデバイス１３．１、１３．２は、測定装置３０からサーバ構成１１に測定データ１９を送信する。次に、サーバ構成１１は、測定データ１９を格納および処理し、必要に応じて、例えば、読み取りデバイス１３．１、１３．２に返送する。読み取りデバイス１３．１、１３．２、およびサーバ構成１１は、例えば、モバイルネットワークなどの無線データ送信ネットワークを介して、相互に結合してもよい。
【００２７】
図２は、モニタリング対象２０．１に属する動作の一例を簡略化して示す概略図である。この図における動作は、測定装置３０の広義な名称の下で理解することができる。測定装置３０は、出力デバイス１４、すなわちディスプレイを含む。データ送信コードとして機能するコード１２、ここではすなわち光学ＱＲコード２４が形成され、出力デバイス１４によって視覚的に示される。ディスプレイの少なくとも一部は、例えば、以下に記載されるように、ＬＣＤディスプレイで形成してもよいし、または、上述したように、ディスプレイ上に描かれた図形を維持するのに電気を必要としないディスプレイで形成してもよい。このようなディスプレイ技術の例としては、ｅ−Ｉｎｋまたはｅ−Ｐａｐｅｒディスプレイなどの電子ペーパーディスプレイ技術（ＥＰＤ）に基づくディスプレイがある。図形が１回限り描画されるワンユースディスプレイも、ディスプレイ技術として機能することができる。当然ながら、描画は１つまたはそれ以上のバッチで、例えば、ディスプレイの異なる領域で行うことができる。図８ａ〜８ｃは、本実施形態を幾分詳細に示す。
【００２８】
測定装置３０は、出力デバイス１４だけでなく、測定データ１９を形成して収集するためのメモリ１６を備えた測定手段１５も含む。測定データ１９は、所定の方式でメモリ１６に格納される。コード１２、ここではすなわちＱＲコード２４が、メモリ１６に格納された測定データ１９から、出力デバイス１４で表示するために形成される。測定手段１５は、測定データ１９を作成するための１つまたはそれ以上の形成手段１８と、形成手段１８によって作成された測定データ１９を出力デバイス１４用に処理し（ＱＲコード２４の作成）、場合に応じて（ＱＲコード２４の作成前に）測定データ１９を暗号化するプロセッサ手段２１と、を含んでもよい。メモリ１６を備えた手段１８および２１は、データ収集デバイスまたはデータロガーと呼ばれてもよい。このように、形成デバイス１８は、所定の方式で測定データ１９を作成して、例えば、物流チェーンにおいてより長期間にわたってモニタリング対象２０．１、２０．２を常時モニタリングし、メモリ１６内の測定データ１９を収集することができる。
【００２９】
形成手段１８は、データを生成する任意のデバイスであってよく、例えば、温度、圧力、または湿度などの測定データを生成する１つまたはそれ以上のセンサ１８．１などであってもよい。形成手段１８は、例えば、別の測定装置など他の装置への接続などの、外部データソース１８．２であってもよい。形成手段１８は、例えば、データ変換器１８．３であってもよい。形成手段１８は、例えば、外部データソースをリスニングし、プロセッサ手段２１との互換性を有するようにデータを変換することができる。作成手段は、数学的アルゴリズムを理解することができる。これにより、すでに測定手段１５と接続中のセンサデータによって生成された生データから、より洗練された測定データを作成することができる。
【００３０】
プロセッサ手段２１は、少なくとも１つのプロセッサ２１’を含み、これは、例えば、形成手段２１によって出力デバイス１４用に作成された測定データ１９を処理し、場合に応じて測定データ１９を暗号化するためのものである。プロセッサ２１’は、形成手段１８からデータ１９を読み取って格納し、場合に応じて暗号化を行い、送信することが意図され、好ましくは暗号化された測定データ１９に基づいて、光データ送信に使用されるコード１２、識別子コードを形成する。プロセッサ２１は、例えば、プロセッサ基盤２２上に位置してもよいし、処理に必要なメモリ１６を含んでもよい。測定データ１９およびそれから形成されたコード１２を格納するのに必要なメモリ１６は、独立したメモリであってもよいし、またはプロセッサ回路内に組み込まれてもよい。出力デバイス１４に加えて、メモリ１６を備えた測定手段１５も低電力とすることができる。低電力測定手段１５のプロセッサ２１のプロセッサ回路の一例として、Ｔｅｘａｓ  Ｉｎｓｔｒｕｍｅｎｔｓ社製のＭＳＰ４３０シリーズが挙げられる。
【００３１】
一実施形態によれば、測定手段１５に属する低電力メモリ１６は、例えば、不揮発性メモリであってもよい。この一例として、例えば、ＦＲＡＭ（Ｆｅｒｒｏｅｌｅｃｔｒｉｃ  Ｒａｎｄｏｍ  Ａｃｃｅｓｓ  Ｍｅｍｏｒｙ：強誘電体ランダムアクセスメモリ）タイプのメモリが挙げられる。この場合の不揮発性とは、メモリ１６にデータを保持するためにメモリを常時リフレッシュする必要がないことを指し、まさに低電力の所以である。他の既知のＦＲＡＭタイプのメモリは、一般に、プロバイダに応じて、Ｆ−ＲＡＭまたはＦｅＲＡＭの略称で知られる。また、メモリは、既知のＦＲＡＭタイプのメモリの動作原理に基づいて開発中のタイプに対応する低電力メモリのみであってもよい。これらは、メモリの内容が、例えばＦＬＡＳＨメモリと比較して比較的低消費電力で変更できることを特徴としており、これにより、メモリ側での電力が低下する。適切な低電力メモリの別の例として、ＦＲＡＭタイプのメモリの代わりに、抵抗性ＲＡＭタイプのメモリ（ＲＲＡＭまたはＲｅＲＡＭ）を用いてもよい。不揮発性メモリの代わりに、所要電力が極めて低いタイプを、例えばメモリストレージおよび／またはメモリのメンテナンスに用いることもできるが、それらは、０．５〜３年など適切な動作期間持続するように設定されている。
【００３２】
また、プロセッサ手段２１は、省電力特性を備えることができる。一実施形態によれば、プロセッサ手段２１は低電力モード（ＬＰＭ）を有することができ、当該モードは、必要でない場合には、割り込みを利用してプロセッサをオフに切り替えることができる。その場合の消費電力は極めて僅かである。ＦＲＡＭタイプのメモリの場合、動作電圧は、例えば０．５〜４ボルト、特に１〜２ボルトであるが、これは、フラッシュメモリの電圧要件の典型例である１０ボルトよりも明らかに小さくなるように設定されている。
【００３３】
また、測定装置３０は、プロセッサ２１’から得られたデータに基づいてディスプレイを制御するディスプレイコントローラ２３を含んでもよい。ディスプレイコントローラ２３は、プロセッサ回路またはディスプレイパネル中に組み込んでもよい。
【００３４】
また、測定装置３０は、出力デバイス１４および測定手段１５用の電源１７を含む。測定装置３０に属するデバイスおよび手段は、必要に応じて電源１７から動作電力を得る。電源１７は、例えば、電池１７．１であってもよいし、例えば、電磁波、振動、光、または熱からエネルギーを生成することのできるエネルギーハーベスタ１７．２であってもよい。しかしながら、出力デバイス１４および測定手段１５用の電源１７は、ローカルのセルフパワー式であることが好ましい。これにより、モニタリング対象２０．１、２０．２は、その動作時間のほとんどの間、固定主電源なしで用いることができる。電源１７は、例えば、測定期間または測定装置３０の寿命、例えば、０．５〜３年だけ持続するサイズであってもよい。また、測定の期間または測定装置３０の寿命の基準の一可能性として、メモリ１６がいっぱいになる期間を用いてもよい。
【００３５】
図９は、測定装置３０に属する電子機器の一例を示す図である。その主要部分には、上記の参照番号が付される。図９は、回路基盤３８上に配置された電池１７．１、ＣＰＵ２１’、温度センサ１８．１、および外部接続用のプログラミングピンとピン１８’を示す。出力デバイス１４は、基盤へのリボン接続３７を有する。測定装置３０において、出力デバイス１４は、リボン接続３７から回路基板３８の後部に向けて折り畳まれる。
【００３６】
図３は、出力デバイス１４とそこに示されるコード１２の例を概略的に示す。出力デバイス１４では、コード１２は、例えばＱＲコード２４などの動的な視覚的グラフィック要素で示される。ＱＲコード２４は、あるいはより広義にはコード１２は、常時表示してもよいし、必要な場合または要求のあった場合にのみ表示してもよい。加えて、出力デバイス１４は、例えば、適宜更新が可能な、瞬時的測定値２５を示すのに用いることができる。データ２５および測定データ１９は、例えば、温度、湿度、加速度、二酸化炭素、何らかの電気的変数、もしくはその他任意の測定可能な変数であってもよいし、測定可能な変数の最小値、最大値、平均値、または履歴に基づく他の値であってもよいし、測定された変数から計算された結果であってもよい。
【００３７】
さらに、出力デバイス１４を使用して、例えば、可視警告サイン２６を表示してもよく、その外観を測定装置３０でプログラミングしてもよい。警告サインは、例えば、温度または超過温度の合計が所定の制限値を超えた場合に表示してもよい。
【００３８】
一実施形態によれば、受信手段２７’は、測定装置３０と接続して配置され、例えば、読み取りデバイス１３によって中継される、測定装置３０から測定データ１９を収集する要求を検出する。より広義には、受信手段２７’は、サーバ構成１１が読み取りデバイス１３．１、１３．２を介して測定装置３０を制御するように、測定装置３０に接続して配置されると言うことができる。受信手段２７’については、例えば、出力デバイス１４のボディに開口部を備えてもよく、この後ろに、出力デバイス１４を励起するのに必要なセンサ２７がある。センサ２７は、例えば、マイクロフォンやフォトセンサであってもよいし、より深くすることのできる場合には磁力計であってもよい。このようなセンサ２７を用いることで、例えばスマートフォンなどの読み取りデバイス１３．１は、出力デバイス１４のみならず測定手段１５と通信を行い、特に、これらを制御することができる。このように、スマートフォンは、例えば、コード１２を更新する必要があること、または次のコード１２を順番に表示する必要があることを、出力デバイス１４に通知することができる。また、このようにして、例えば測定装置３０の設定を行うことも可能である。これらの実施形態は、以下の説明において適宜再度参照する。フォトセンサ２７の商業的実施の例として、例えば、Ｌｉｔｅ−Ｏｎ社製のＬＴＲ−３０８ＡＬＳ−０１が挙げられる。
【００３９】
図４は、モニタリング対象２０．１からサーバ構成１１に測定データ１９を送信したい場合における、本発明に係るシステム１０の動作を段階的なフロー図として示す。ステージ４０１において、出力デバイス１４上で示したいビジュアルコード１２が、読み取りデバイス１３．１によって読み取ることができるか否かを確認する。読み取ることができない場合、すなわち、例えば可視でない場合、その励起ステージ４０２〜４０５が行われる。ステージ４０２において、自動励起が可能か否かを確認する。可能である場合、ステージ４０４において、読み取りデバイス１３．１から出力デバイス１４に励起が送信され、その結果、ステージ４０５において、出力デバイス１４が読み取り可能なコード１２を示す。ステージ４０２において自動励起が不可能な場合、ステージ４０３では、例えば出力デバイス１４のボタンを押すなどして、手動で励起がされる。再びステージ４０５の結果として、出力デバイス１４はコード１２を示す。
【００４０】
ステージ４０１においてコード１２が読み取り可能な場合、または励起手順の結果に基づいて、次のステージ４０６では、読み取りデバイス１３．１がコード１２を読み取る。読み取りデバイス１３．１によって読み取られたコード１２をサーバ構成１１が受信し、それに基づいてデータ送信を行った場合、ステージ４０７で、測定手段１５からの追加のデータが必要であると判断され、ステージ４０１に戻る。
【００４１】
ステージ４０８では、読み取りデバイス１３．１を使用して、データがサーバ構成１１に送信される。ステージ４０９では、サーバ構成１１および／または読み取りデバイス１３．１は、読み取ったおよび／または送信されたデータから、追加のデータが必要か否か、すなわち、例えばデータが不足している可能性があるか否かを調べることができる。必要な場合には、再度ステージ４０１に戻る。
【００４２】
図５は、システム１０に属する様々なパーツのシーケンス図を並列タイムラインとして示す。図５は、１つの状態更新手順を行うためのステージを示す。なお、ステージ５０１では、出力デバイス１４には光学ＱＲコード２４があり、これは常時可視であり、読み取りデバイス１３．１のカメラによって読み取られる。従って、読み取りデバイス１３．１は、いつでもＱＲコード２４を読み取ることができ、事前に出力デバイス１４を励起／通知する必要はない。これにより、出力デバイス１４、１４’側では、出力デバイス１４、１４’をゼロパワーのパッシブ状態をすることができ、実質的に電力を使用せずにコード１２を示すことができる。
【００４３】
ステージ５０２において、読み取りデバイス１３．１、例えば移動局は、出力デバイス１４が示す、例えばＱＲコード２４などの光学コード１２の読み取りに成功し、データは、これを介して読み取りデバイス１３．１に転送される。光学コード１２内から読み取るデータは、例えば、Ｗｅｂアドレスまたはその他のデータであってもよい。ウェブリンクの場合、サーバ構成１１に送信されるモニタリング対象２０．１の測定データ１９は、図３に示すように、ＱＲコード２４に含まれるウェブリンクに埋め込まれる。ＱＲコード２４に含まれるデータに既知のウェブリンクがない場合は、読み取りデバイス１３．１には、所定の方式でデータを処理および送信するコードがあってもよい。
【００４４】
ステージ５０３において、読み取りデバイス１３．１は、例えばモバイルネットワークなどのデータ送信ネットワークを介して、データをサーバ構成１１に送信する。ＱＲコード２４が通常のウェブリンクを含む場合、ユーザ２９はＱＲコード２４をスキャンしてそれによって決定されたウェブリンクを開くと、ＱＲコード２４から解凍されたデータ１９が自動的にリンク（「ＵＲＬ」）にあるサーバ構成１１に転送される。測定装置３０の識別子ＩＤは、読み取られたＱＲコード２４および解凍されたリンクにも埋め込まれているため、サーバ構成１１は、ユーザ２９がどの測定装置３０をスキャンしたかを把握することができる。
【００４５】
ステージ５０４で、サーバ構成１１は、読み取りデバイス１３．１によって送信されたデータを受信、格納、および処理する。データが暗号化されている場合、サーバ構成１１はデータの復号化も行う。データが圧縮されている場合、サーバ構成１１はデータの解凍も行う。読み取りデバイス１３．１が読み取って送信したデータは、サーバ構成１１に格納される。同様に、ＱＲコード２４に含まれるウェブリンクをアクティベートすることで、ユーザ２９を、サーバ構成１１によって管理される情報ページに誘導することができる。
【００４６】
一実施形態によれば、サーバ構成１１と、例えば測定手段１５および出力デバイス１４で形成されるように配置された測定装置３０との間におけるデータ送信は、双方向にかつ好ましくは読み取りデバイス１３．１、１３．２を介して行われるように設定される。そして、サーバ構成１１と読み取りデバイス１３．１の間、さらには読み取りデバイス１３．１と測定装置３０の間のデータ送信も双方向である。サーバ１１と測定装置３０との間の双方向データ送信により、複数の利点が得られた。例えば、読み取りデバイス１３．１を介して、サーバ構成１１によって測定装置３０を制御することができる。
【００４７】
さらに、サーバ構成１１に送信されたデータは、例えば、１つのＱＲコード２４で既に送信できたものよりもさらに多くの利用可能なデータをモニタリング対象２０．１、すなわち出力デバイス１４が有するかについての情報を、ヘッダデータとして含んでもよい。これにより、サーバ構成１１は、出力デバイス１４から追加のデータを取得する必要があるか否かを決定することができる。これにより、サーバ構成１１は、例えば前回の送信から、読み取りデバイス１３．１、１３．２のコード１２に基づいて、測定手段１５から測定データ１９を収集する必要があるか否かを判定するように設定される。
【００４８】
必要なデータがすべてサーバ構成１１に既に格納されているとサーバ構成１１によって判断された場合、追加のデータは不要である。代わりに、データがまだ存在している／必要であると判断された場合、プロセス５０５において、サーバ構成１１は、送信要求応答として、読み取りデバイス１３．１に追加のデータを読み取らせるプロンプトデータを送信することができる。次に、読み取りデバイス１３．１は、測定手段１５から測定データ１９を収集する要求を、サーバ構成１１から測定手段１５に送信するように設定される。測定手段１５から測定データ１９を収集する要求は、読み取りデバイス１３．１、１３．２によって事前に読み取られたコード１２に対する応答として作成および中継され、これに基づいて送信、すなわちハンドシェイクが行われるように設定される。
【００４９】
ステージ５０６では、読み取りデバイス１３．１は、サーバ構成１１によって作成および送信された要求を受信して、出力デバイス１４から、あるいはより広義にはモニタリング対象２０．１から、追加のデータを収集して読み取る。読み取りデバイス１３．１は要求を受信し、それに基づいて、出力デバイス１４に送信される設定に従って信号コマンドを作成する。追加のデータが必要ない場合、サーバ構成１１は、データ送信手順が正常に終了したことのみ確認する。
【００５０】
ステージ５０７では、読み取りデバイス１３．１は、例えば光信号、音声信号などのコマンドを出力デバイス１４に送信する、またはコマンドを作成して出力デバイス１４に示すために、読み取りデバイス１３．１のユーザ２９に読み取りデバイス１３．１／出力デバイス１４の設定ボタンを押すようにガイドする。読み取りデバイス１３．１は、このようにコマンドを使用して、サーバ構成１１から要求された次の１つまたは複数の測定手段１５のデータ１９を要求する。
【００５１】
ステージ５０８で、出力デバイス１４は、次のデータバッチで光学コード１２を更新する。ステージ５０９でコード１２が更新されると、ステージ５０１に戻り、次のデータバッチに含まれるコード１２を、読み取りデバイス１３．１によって出力デバイス１４から読み取ることができる。上述のように、ステージ５０２〜５０４が繰り返される。この処理は、所望の場合にまたは必要に応じて、続けてもよい。
【００５２】
一実施形態によれば、ステージ５１０において、サーバ構成１１は、双方向データ送信の一部として、読み取りデバイス１３．１、１３．２がデータ出力手段３２’を使用して示すモニタリング対象２０．１、２０．２に関するコンテキストデータ３３を、読み取りデバイス１３．１、１３．２に転送するように設定される。サーバ構成１１は、例えばユーザ２９のユーザ権利レベルに基づいて、当該情報３３をユーザ２９に示すことができる。このコンテキストデータ３３の少なくとも一部は、読み取りデバイス１３．１、１３．２によって読み取られたコード１２および当該コード１２から処理されたデータに基づいて、サーバ構成１１によって作成される。このように、ＱＲコード２４を読み取った結果としてサーバ構成１１に送信され、場合に応じてそこで処理されたデータ、および／または当該データをより洗練させた情報を、あるいはより広義にはコンテキスト情報３３を、必要に応じて、ステージ５１１において読み取りデバイス１３．１に転送し、例えば、ユーザ２９に対して、直接、ウェブページなどの読み取りデバイス１３．１のディスプレイ３２にクリアテキストとして表示することができる。最もシンプルには、例えば、物流におけるモニタリング対象用に必要な場合、当該情報は、コールドチェーンに破損がないことを示すものであってもよい。この情報に基づいて、モニタリング対象の製品は、コールドチェーンが維持されている場合は、使用が承認され、コールドチェーンが破損している場合は、使用が拒否されるか、追加の確認が行われる。より広義に、ディスプレイ３２は、情報出力手段３２’と呼ばれてもよい。読み取りデバイス１３．１、１３．２の少なくとも一部は、情報出力手段３２’を備えてもよい。
【００５３】
図７は、本発明で使用される可能性がある、低電力でエネルギー効率の高い暗号化方法の一例を示す。当該方法は、まず、図の左側のブロック６１において、暗号化キー６２を使用してデータ６３を暗号化し、次に、図の右側のブロック６５において、暗号化キー６６を使用して暗号化を解く方法である。このように、一実施形態によれば、測定手段１５は、ＱＲコード２４を読み取った結果、すなわちＱＲコード２４に基づいて、測定装置３０からサーバ構成１１に送信された測定データ１９を暗号化するように設定されている。
【００５４】
ブロック６１は、測定手段１５に関連して行われる。暗号化キー６２は、測定手段１５のメモリ１６の全長であってもよいし、例えば、ワンユースの乱数キューであってもよい。暗号化キー６２が同程度の長さを有することができる場合、メモリ１６は、例えば、２００Ｍｂまたは１Ｇｂとしてもよい。暗号化されたデータ６３は、測定手段１５のメモリ１６に格納するデータであってもよいし、例えば、温度測定のデータであってもよい。暗号化するデータ６３と暗号化キー６２をＸＯＲ動作で組み合わせて、暗号化された測定データ６４を得る。暗号化された測定データ６４も、測定手段１５のメモリ１６に格納される。暗号化された測定データ６４は、使用時に測定手段１５のメモリ１６に格納された暗号化キーのメモリ位置を置き換えることができる。言い換えると、暗号化された測定データ６３は、その文字が使用される場合に、ワンユース暗号化キー６２を上書きする。このように、メモリ１６を非常に効率的に利用することができる。同時に、暗号化のために暗号化キー６２が破壊され、測定手段１５のメモリ１６を読み取っても暗号化された測定データ６３を開くことができない。
【００５５】
暗号化キー６２、６６は乱数であってもよく、サーバ構成１１にも格納される。暗号化キー６２は、製造時に測定手段１５のメモリ１６に配置される。このように、各測定手段１５は、それぞれ固有の乱数キューを暗号化キーとして有する個体である。サーバ構成１１は、個々の測定手段１５およびそれぞれの暗号化キー６６を把握している。暗号化された測定データ６３は測定手段１５内に位置し、暗号化後の測定データ６３は、暗号化キー６２なしに外部エージェントによって開かれることはない。メモリ内において、その上に暗号化された測定データを格納することが好ましい。サーバ構成１１へのデータ送信が何らかの理由で成功しない場合であっても、測定データは測定手段１５のメモリ１６内にあり、暗号化された測定データ６３がＱＲコード２４に基づいてサーバ構成１１に送信されるまでは、読み取ることができない。
【００５６】
ブロック６５は、暗号化キー６６を使用したデータ復号を示す。これはサーバ構成１１で行われる。各測定手段１５の暗号化キー６６は、サーバ構成１１に格納することもできる。この場合、サーバ構成１１に送信された暗号化データ６７は、ＸＯＲ動作によって復号され、元の測定データ６８を形成することができる。さらに、暗号化によって、モニタリング対象または製品３１の認証も可能になる。言い換えれば、特定の測定手段１５に割り当てられた暗号化キーを決定するための特定の数値範囲のデータが、当該測定手段１５から来る。暗号化された測定データは、認証を行うための符号ビットを含んでもよい。暗号化された測定データが、例えば８ビットである場合、７ビットが暗号化された測定データであり、１ビットは、例えば、対応する暗号化キーのポイントから取得された符号ビットである。サーバは、符号ビットがどのポイントにあるかを把握しており、暗号化された測定データの出所、すなわち、真正の測定手段１５からのものであることを、認証することができる。このように、モニタリング対象３１は、暗号化に基づいて認証を行うように設定してもよい。ＸＯＲ暗号化は、複雑なコンピューティングまたは暗号化アルゴリズムを必要としない。ＸＯＲ暗号化は、軽いプロセッサ実装を使用して実現することができ、軽いデータ処理要件で実装される。さらにもう１つの利点として、暗号化アルゴリズムがなく、暗号化アルゴリズムを実際に暗号化する必要がない。暗号化キーまたは測定データが１つの測定手段ユニットから外部エージェントに漏洩した場合であっても、外部エージェントは、他の測定データユニットの測定データを開くことはできない。
【００５７】
図８ａ〜８ｃは、出力デバイス１４’の可能な実装に関するさらに別の実施形態の例を示す。ここでの適用例は、冷却デリバリ３１である。一実施形態によれば、出力デバイス１４’は、ワンユース出力用であってもよい。このとき、デリバリ３１の受信者は、例えば、経路、温度履歴などデリバリ３１に関する情報、および／またはデリバリ元が本物であることを認証するクリアテキストの文書を印刷することもできる。ここで、出力デバイス１４’は、紙状の、または同様のワンユースの出力手段として構成されており、この出力手段では、測定手段１５によって作成された、またはそこで処理された測定データ１９から、例えば、物理的（例えば、マトリックスまたは熱）、化学的、および／または電気的効果によって、情報を形成することができる。例えば感熱紙などのワンユース出力手段は、例えば、モニタリング終了時に、モニタリング対象２０．１から取り外すことができるのが好ましい。ここでも、ＱＲコード２４は最初に移動局を使用して読み取られてサーバ構成１１に送信され、サーバ構成１１は、データが本物であることをデリバリ３１の受信者に対して認証する。
【００５８】
図８ａではパッケージ３１が搬送され、その間、出力デバイス１４’はパッシブ状態である。このとき、指示可能なデータは空であってよい。ただし、搬送中、パッケージ３１とその周辺（温度）に関する測定は常時行われ、パッケージ３１が割り当てられた測定手段１５を使用してメモリ１６に格納される。
【００５９】
図８ｂでは、パッケージ３１が受信者の元に到着する。受信者は、例えば、自分の移動局のフラッシュまたはその他の光信号で、出力デバイス１４’に内蔵された感光センサ２７を介して、出力デバイス１４’を励起することができる。当該励起により、ＱＲコード２４が、より広義にはコード１２が、出力デバイス１４’上に表示されて移動局で読み取り可能になるとともに、例えば、その時点の温度値が読み取り可能になる。上述のように、受信者は、自分の移動局でＱＲコード２４を読み取ることで、パッケージ３１に対応するＱＲコード２４に含まれる履歴データを認証することができる。そして、移動局は、ＱＲコード２４に含まれる測定データ１９を、例えば、サーバ構成１１に宛てたＱＲコード２４から決定されるＷｅｂアドレスに暗号化する。サーバ構成１１は、ＱＲコード２４内の測定データ１９をクリアテキストに復号化し、出力デバイス１４’およびパッケージ３１自体に示されるデータの出所を同時に認証して移動局に戻す。
【００６０】
図８ｃによれば、出力デバイス１４’は、パッケージ３１から取り外すこともできる。受信者は、例えば自身におけるアーカイブ化の必要性に応じて、出力デバイス１４’を取得することができる。ここで出力デバイス１４’はワンユースであるため、非常に安価であり、大量生産にも適している。
【００６１】
ワンユースの出力デバイス１４’は、例えば、そのＱＲコード２４を１回またはそれ以上の回数描画する、すなわち、１つまたはそれ以上のバッチで出力できることが好ましい。最初にＱＲコード２４の一部を出力デバイス１４’上で描画し、ＱＲコード２４用に確保されている出力デバイス１４’の他の領域は空のままにしてもよい。データは後からＱＲコード２４に追加することができ、すなわち、空の領域を埋めることができる。このように、ＱＲコードのエラー訂正アルゴリズムを利用することで、ビジュアルコード２４の様々な部分を埋めることができる。読み取りデバイス１３．１、１３．２は、上述の方法で更新および補足されるコード２４を読み取る際に、このことを考慮に入れることができる。
【００６２】
本発明によれば、ビジュアルコード１２のみを読み取り、その後、埋め込まれたＵＲＬリンクを開く／承認することで、データ送信を、主には自動的に、かつ安全に行うことができる。これにより、システム１０をユーザ２９にとって使いやすいものにすることができる。認証に必要な情報がビジュアルコード１２内においてすでに結合されているため、認証を自動的に行うことも可能である。
【００６３】
また本発明によれば、モニタリング対象２０．１、２０．２の位置データを、読み取りデバイス１３．１、１３．２によって決定することができる。例えば、図５のステージ５０３の後、ユーザ２９が読み取りデバイス１３．１、１３．２のブラウザ上でサーバ構成１１のウェブページをダウンロードすると、サーバ構成１１は、例えばＨＴＭＬ５  Ｇｅｏｌｏｃａｔｉｏｎ  ＡＰＩを使用して、ユーザ２９に位置データを要求することができる。これにより、読み取りデバイスとして機能する電話に追加のソフトウェアをインストールする必要なしに、読み取りデバイス１３．１、１３．２、さらにはモニタリング対象２０．１、２０．２を測位することができる。ＨＴＭＬ５  Ｇｅｏｌｏｃａｔｉｏｎ  ＡＰＩは、例えば、ＧＰＳやその他の測位方法を同様に用いることができる。電話、すなわち読み取りデバイス１３．１、１３．２がデータの読み取りおよびそれに続くデータ送信に関連する位置データを共有することをユーザ２９が受け入れる場合、測定装置３０の位置もサーバ構成１１に格納される。従って、サーバ構成１１は、測定装置３０の走査位置を把握し、そして、地図上に描くこともできる。
【００６４】
双方向データ送信に関する実施形態として、サーバ構成１１は、測定手段１５および／または出力デバイス１４、より広義には測定装置３０の動作を、読み取りデバイス１３．１、１３．２を介して制御するように構成される。読み取りデバイス１３．１、１３．２を使用して、１つまたはそれ以上の動作が設定され、サーバ構成１１から測定装置３０に送信される。双方向データ送信によって、例えば、サーバ構成１１の制御下で、測定手段１５／出力デバイス１４が励起され、コード１２が更新される。これにより、測定装置３０自身が正確に設定されたクロックを有さなくても、タイムスタンプ下でデータを正確に組み合わせることが可能になる。これにより、エネルギーが節約される。
【００６５】
また、本発明に係る双方向データ送信によれば、測定手段１５および／または出力デバイス１４、より広義には測定装置３０のメモリ１６における設定およびその他の値は、サーバ構成１１の制御下で変更が可能である。例えば起動中における測定装置３０のプログラミング／コンフィギュレーション、すなわちその設定を変更すること／設定を行うことについても同様のことが言える。
【００６６】
図６は、例えば起動中または再コンフィギュレーション中における測定手段１５、より広義には測定装置３０、のコンフィギュレーションの一例を示す。ここでも、サーバ構成１１と測定装置３０の間における、読み取りデバイス１３．１、１３．２による双方向のデータ送信が利用される。すなわち、データはサーバ構成１１から測定装置３０へ送信される。
【００６７】
サーバ構成１１が読み取りデバイス１３．１、１３．２を介して測定装置３０のプログラミングを行う前に、読み取りデバイス１３．１、１３．２は、例えば、起動中および／または設定変更中に測定装置３０のプログラミングを行うようにサーバ構成１１を制御するように設定される。読み取りデバイス１３．１、１３．２により、測定装置３０の設定を決定してサーバ構成１１に格納することについても同様のことが言える。例えば、最初にステージ６０１において、モニタリング対象２０．１自体を識別することができる。これには複数の方法がある。当該識別は、例えば、読み取りデバイス１３．１、１３．２を使用して、モニタリング対象２０．１、２０．２のバーコード識別子または他の同様の識別子を読み取ることにより、あるいは、ユーザ２９が読み取りデバイス１３．１、１３．２を用いた操作によってデータを作成し、次に、ステージ６０２においてモニタリング対象の識別データをサーバ構成１１に送信することにより、可能である。もちろん、モニタリング対象は、当該対象に接続して配置された測定装置３０の設定を決定する際に識別してもよいし、またはその後の別の動作において識別してもよい。測定装置３０のＩＤ識別子または対象に取り付けるための運送状は、その識別として同様に機能することができる。モニタリング対象を識別することで、特定のモニタリング対象（例えば、パッケージまたはパレット）を、当該対象に配置される測定装置３０に紐づけることができる。言い換えると、結果として、サーバ構成１１は、測定装置３０によって作成および示される際に読み取られるコード１２が、どのモニタリング対象に関係するかを常時把握することができる。
【００６８】
読み取りデバイス１３．１、１３．２が、サーバシステム１１を、測定装置３０のプログラミングを行う、より広義には設定を行うように制御することで、システム１０のユーザ２９は、例えば、測定を行うために、および／または測定装置３０によってモニタリング対象のデータから形成されたデータを示すのに必要な測定装置３０の設定または測定装置３０に関する他の情報を、設定または変更することができる。設定は、サーバ構成１１によって作成されたウェブページ上で決定することができ、当該ウェブページは、読み取りデバイス１３．１、１３．２のディスプレイ３２上に示され、当該設定は、サーバ構成１１に格納される。ユーザ２９は、サーバ構成１１によって作成されたウェブページ上で、例えば「タグを設定」を選択し、ステージ６０３のウェブページから設定を決定することができる。これらの設定は、例えば、測定間隔、ディスプレイ１４の更新間隔、バッテリー節約設定、または、例えば測定手段１５に関連する他の装置設定であってもよい。もちろん、読み取りデバイス１３．１、１３．２の代わりに、例えば、一部の外部デバイスから集中的にサーバ構成１１の設定を行うこともできる。ステージ６０４では、例えば、ウェブページ上に示す視覚的表示または同様のウェブコンテンツが、サーバ構成１１を使用して作成される。より広義には、サーバ構成１１は、設定が符号化されたウェブコンテンツ３４を作成して、読み取りデバイス１３．１、１３．２上に示すように設定される。視覚的表示とは別に、または一緒に、コンテンツ３４は、例えば、音声を含んでもよい。
【００６９】
ステージ６０５では、ユーザ２９に、読み取りデバイス１３．１、１３．２および測定装置３０を、これらのデバイスおよび装置の間でコンテンツデータ送信、あるいはプログラミングが行われるように、相互に設定するように要求することができる。さらに、サーバ構成１１によって作成されたウェブコンテンツのダウンロード、および当該ウェブコンテンツの読み取りデバイス１３．１、１３．２のディスプレイ３２上での表示をアクティベートするようにユーザ２９に要求することができる。
【００７０】
ユーザ２９がサーバ構成１１において所望の設定を決定し終えると、ステージ６０６の結果、ユーザ２９は、当該設定を、ステージ６０４でサーバ構成１１によって作成されたウェブページから、測定装置３０に、例えば読み取りデバイス１３．１、１３．２を使用してダウンロードすることができる。これは、例えば、読み取りデバイス１３．１、１３．２のＷｅｂブラウザ３９（図１）を使用して、あるいは、読み取りデバイス１３．１、１３．２に必要な他の装置、ケーブル、または特別な特徴やソフトウェアを用いることなく、行うことができる。このように、ステージ６０６および６０７では、サーバ構成１１が読み取りデバイス１３．１、１３．２にウェブコンテンツ３４を送信し、その結果、読み取りデバイス１３．１、１３．２は、サーバ構成１１からウェブコンテンツ３４を受信するように設定される。ステージ６０８において、測定装置３０に設定を入力するために、あるいは送信するために、読み取りデバイス１３．１、１３．２は、そのディスプレイ３２上にウェブコンテンツ３４を表示するように設定される。このように、読み取りデバイス１３．１、１３．２を介して行われるように設定される、測定装置３０の設定の実行／変更は、サーバ構成１１から受信した設定を測定装置３０に入力することを含む。これは、例えば視覚的表示について行ってもよいし、例えば、サーバ構成１１によって作成されたウェブページ上に示すコンテンツ３４について行ってもよい。
【００７１】
より具体的には、ステージ６０７では、サーバ構成１１が、白黒にフラッシュする領域などのコンテンツを含むウェブページを、読み取りデバイス１３．１、１３．２に送信する。従って、サーバ構成１１から測定装置３０に送信されるデータは、例えば、長さが異なる白色および黒色のフラッシュに符号化することができる。ステージ６０５の結果、サーバ構成１１によって作成され、読み取りデバイス１３．１、１３．２に送信されるウェブページのフラッシュ領域を含む、電話、携帯型コンピュータ、またはデスクトップＰＣ、あるいはより広義には読み取りデバイス１３．１、１３．２のディスプレイ３２に、ユーザが、例えば、フォトセンサ２７などの測定装置３０の受信手段２７’を配置すると、ステージ６０８および６０９において、読み取りデバイス１３．１、１３．２が、コンテンツを測定装置３０に送信し、測定装置３０のプログラミングを行うことができる。すなわち、読み取りデバイス１３．１、１３．２のデータ出力手段３２’、あるいはディスプレイ３２は、驚くべきことに、読み取りデバイス１３．１、１３．２を使用して測定装置３０を制御するデータ入力手段３２’’としても使用される。より広義には、例えば、読み取りデバイス１３．１、１３．２のディスプレイ３２など、光を生成するように設定された要素３２＊は、読み取りデバイス１３．１、１３．２のデータ入力手段３２’’として機能するように設定されている。例えば、読み取りデバイス１３．１、１３．２に属するラウドスピーカーなどの音源を、同様の目的に用いることができる。ウェブコンテンツ３４のフォーマットは、例えば、Ｙｏｕｔｕｂｅビデオであってもよいし、もっとシンプルな、ウェブページ上の単純なアニメーションなどであってもよい。アニメーションは、例えば、白黒にフラッシュするフレームであってもよい。
【００７２】
ステージ６１０では、測定装置３０は、測定装置３０に属するフォトセンサ２７でフラッシュ光を介してデータを受信する。最後に、測定装置３０は、自装置に割り当てられた設定をコンテンツ３４から復号し、自装置のメモリに格納する。これらの設定に従って、測定が行われ、および／またはディスプレイ１４が制御される。このように、測定装置３０は、読み取りデバイス１３．１、１３．２のディスプレイ３２上に示されるウェブコンテンツ３４を観察し、これより設定を復号するように設定されている。
【００７３】
このように、測定装置３０は、サーバ構成１１によって、例えばサーバ構成１１が作成したウェブページを使用して、読み取りデバイス１３．１、１３．２のディスプレイ３２およびフォトセンサ２７によって、ウェブページを介して、無線で、容易に設定することができる。フラッシュ光を介して送信するデータは暗号化することもできるため、他のソースやクラウドシステムから誤った設定を行うことはできない。上記手順によれば、測定装置３０の設定を非常に簡単に行うことができる。これは、モニタリング対象が多く存在する場合におけるシステムのユーザビリティの観点から非常に重要である。また、これにより測定装置３０の実装が簡略化される。読み取りデバイス１３．１、１３．２の場合、システムは、多くのデバイスですでに利用可能な標準のＱＲコード読み取りデバイスを用いて実現可能であるため、読み取りデバイス１３．１、１３．２は、測定装置３０のプログラミングを行うための特別な特徴を必要としない。ＱＲコードの場合、当該機能は、例えばｉＰｈｏｎｅデバイスにすでに内蔵されている。
【００７４】
測定装置３０を特定のモニタリング対象２０．１、２０．２に接続可能にすることに加えて、本手順は、例えば搬送チェーンの途中で、測定装置の３０の設定の変更に用いることができる。これは、例えば、ある搬送モードから別の搬送モードに（例えば、トラックから航空機に）移行するときに必要となり得る。もちろん、モニタリング対象２０．１、２０．２が事前に測定装置３０に紐づいているため、例えばステージ６０１、６０２、および６０３は（部分的に）手順から省略してもよい。
【００７５】
本発明は、例えば、ＱＲコード２４または同様の読み取り可能なコード１２によって決定されたリンクに基づいてユーザ２９を認証することを可能にするため、ユーザ２９を特定することはできないが、当該ユーザ２９がモニタリング対象２０．１、２０．２の位置に物理的に存在するまたは存在していたことを把握することができる。次に、ユーザ２９は、読み取りデバイス１３．１、１３．２を使用して、ＱＲコード２４または同様のコード１２を読み取る。当該コードが、例えば過去３０分間など所定の時間における有効かつ暗号化された測定データを含む場合、これによって、ユーザを認証および承認する。
【００７６】
ユーザ２９が、正確な時間において（例えば、１分の時間窓内で）、モニタリング対象２０．１、２０．２の位置にあることを確実にしたい場合、例えば、モニタリング対象２０．１、２０．２の測定データをサーバ構成１１に送信するまたは送信した際に、ユーザ２９にさらなる認証を要求することができる。実装方法の一つによると、サーバ構成１１は、上述の方法で暗号化されたウェブコンテンツを作成し、自身のウェブページ上で示すことができる。当該ウェブコンテンツは、上記の図６に示すように、ステージ６０６、６０７において示され、その後、読み取りデバイス１３．１、１３．２のディスプレイ３２から測定装置３０に送信される。ウェブコンテンツは、暗号化された認証ＩＤであってもよく、測定装置３０によって復号化される。この認証ＩＤは、ＱＲコード２４のデータリンクに密かに埋め込まれ、ユーザ２９はこのＱＲコード２４を読み取るように求められる。
【００７７】
ユーザ２９がＱＲコード２４を再度読み取ると、読み取りデバイス１３．１、１３．２は、埋め込まれた認証ＩＤなどをサーバ構成１１に送信し、これにより、当該ユーザ２９が実際に、例えば数秒前にモニタリング対象２０．１、２０．２の位置にいたことが確認でき、測定装置３０の位置に物理的に存在したことが確認できる。認証ＩＤを測定装置３０に転送するのと同時に、他のメタデータも転送することができる。この実施形態によれば、ユーザ２９が、モニタリング対象２０．１、２０．２が既にないにも関わらずＱＲコード２４で決定されたリンクを再度開くのを防止する。例えば、ユーザ２９を認証した後、例えば、モニタリング対象２０．１、２０．２に関するコンテキストデータ３３をユーザ２９に送信することができる。このように、読み取りデバイス１３．１、１３．２は、認証も同様に実現することができ、追加の特徴を必要としない。
【００７８】
例えば、物流チェーンにおいてデリバリサイクルが比較的短い大量生産製品などに特に適した低消費電力の機械読み取り可能なコードは、以下のように作成することもできる。図１０ａに示す第１の実施形態によれば、キャラクターディスプレイ１２’を用いることができる。これは、例えば、ＱＲコード２４の本体を１ビットで示すように設定される。さらに、ＱＲコード２４には、送信されるデータ（例えば、温度が所定の制限内に維持されているか否かを示すデータ）を示すのに配置される少なくとも１データピクセルの領域１２’’が埋め込まれている。ＱＲコード２４の代わりに、例えば、Ａｚｔｅｃコードなどの規格に準拠した二次元コードも、静的領域１２’と、可変データを含む領域１２’’とを作成するのに、同様に用いることができる。
【００７９】
図１０ｂに示す第２の実施形態によれば、出力デバイス１４上に示されるＱＲコード２４の大部分は、予め印刷されたパターン１２’’’である。さらに、ＱＲコード２４は、その中心に、少なくとも１データピクセルで形成されるデータ転送用のデータ領域１２’’を有する。予め印刷されたパターン１２’’’は、例えば、サーバアドレスの大部分または全体、あるいはその他同様の不変の情報を示すことができる。予め印刷されたパターン１２’’’は、例えば、１回目の読み取りで読み取って決定することができる。１回目の読み取りで、サーバアドレスと一緒または別々に読み取り、別の２回目の読み取りで、少なくとも１ピクセルのデータ領域１２’’の中央にある、ＱＲコード２４のデータピクセルを読み取る。ここでは、または上述の実施形態では、可変のデータ領域１２’’は、例えば、ＬＣＤディスプレイなどを使用して実装することができる。
【００８０】
図１１は、可変データ領域１２’’を実現する１つの方法を示し、これは、別の場合においては、固定的に実現されるＱＲコード２４である。データ領域１２’’は、例えば３×３のマトリクス形式でデータが配置される、小さなＬＣＤディスプレイ３６を使用して形成される。データ領域１２’’は、ＬＣＤディスプレイ３６への制御ラインｃ１〜ｃ９が導出するコントローラ３５によって制御される。次に、コントローラ３５は、例えば、ＣＰＵ２１’を使用して制御される（図２）。ＬＣＤディスプレイ３６上に示されるパターンの要素数は、必要に応じて変更することができる。例えば、１６個まで増やしたり、４個のみにしたりできる。コントローラ３５内においてパターン１２、１２’’の要素ごとに１つの制御ピンを備えることができるため、コントローラ３５は、ピンを介してそれぞれを直接制御するように設定される。このように、各ピクセルは、所望の情報を示すために、互いに独立してコントローラ３５によって個別に制御することができる。例えば、ディスプレイに１６個のセグメントがある場合、１６進制御を利用して、直接ディスプレイを制御することができる。セグメントの数は異なってもよい。例えば、２＾２個、２＾４個、２＾６個などであってもよいし、より広義に、ｘ＝１〜８として、２＾ｘ個であってもよい。このように、モニタリング対象の状態データは可変データであり、ＬＣＤディスプレイ３６によって形成される動的データ領域１２’’において示され、コントローラ３５によって、ピクセルごとに変化するデータに基づいて制御されるように設定される。
【００８１】
これに関連する、データ収集を実装する１つの方法は、例えば、測定を開始する際にコード１２から読み取りを行う方法、またはサーバに格納するために送信される測定基準点（例えば、温度）を格納する方法である。温度には、制限値を設定してもよい。そして、モニタリング中、基準値に対する温度の偏差のみが格納され、最後に、当該偏差が所定の制限値内に留まったか否かが示される。別の可能性として、例えば、最初と最後の読み取り値、および／または最大値／最小値、および／または標準偏差などに基づいて、温度測定の角度係数を格納する方法がある。
【００８２】
上述の実施形態では、ディスプレイコントローラ２３が、キャラクターディスプレイ１２’をＱＲコード２４に形成するように設定され、または、ディスプレイが、例えば、予めインクで印刷された静的パターン１２’’’を含むように設定される。これらはいずれも、例えばサーバのアドレスなどを特定することができる。より広義には、機械読み取り可能なコード１２は、測定装置３０に属するディスプレイコントローラ２３を使用して形成されるコード１２の大部分を形成する静的部分１２’、１２’’’に、または、印刷部、および特に測定データ１９または同様の可変データ用に配置された可変部１２’’として配置された物理データキャリアとして、配置される。
【００８３】
図１０ａおよび１０ｂに示す、出力デバイスを実装するためのこれらの方法は、例えば、食品業界における適用に特に有用である。そして、各製品パッケージには、工場から店舗、そしてコンシューマへの移動における測定を行う測定装置３０を、工場で装着することができる。そして、非常にシンプルで安価な実装により、製品のコールドチェーンに破損がないこと、または製品の出所を、例えばエンドユーザに証明することができる。可変データを含む機械読み取り可能なコードの非常に小さな領域でこれに十分であるため、電力消費もない。個々の製品に測定装置を配置しても、実質的に価格に影響しない。
【００８４】
また、本発明は、データ送信システム１０に加えて、モニタリング対象２０．１、２０．２をモニタリングするためのデータ送信システム１０の上述の使用に関する。モニタリング対象は、固定であってもよいし、移動してもよい。移動するモニタリング対象の非常に典型的な例は、物流の対象、搬送物品、またはそれらで形成された搬送ユニットである。モニタリングする変数はどのような変数であってもよく、そこから計算される、例えば、温度、湿度、圧力、光、位置、ＶＯＣ、ラドン、ｐＨなどであってもよい。より具体的には、変数は、変化する可能性があるものであってよい。その一例は、冷却デリバリである。
【００８５】
上記の説明および関連する図面は、本発明を例示することのみを目的としていることが理解されるものとする。従って、本発明は、上記の説明または特許請求の範囲で決定される実施形態のみに限定されず、添付の特許請求の範囲によって決定される発明の趣旨の範囲内において、本発明の多くの異なる変形および修正が可能であることは、当業者には明らかである。
【符号の説明】
【００８６】
１０：データ送信システム
１１：サーバ構成
１２：グラフィックコード、ビジュアルコード
１２’：静的領域
１２’’：可変データを含む領域、データ領域
１２’’’：パターン
１３、１３．１、１３．２：読み取りデバイス
１４、１４’：出力デバイス
１５：測定手段
１６：メモリ
１７：電源
１７．１：電池
１７．２：エネルギーハーベスタ
１８：形成手段、形成デバイス
１８’：ピン
１８．１：センサ
１８．２：外部データソース
１８．３：データ変換器
１９：測定データ、符号化データ
２０．１、２０．２：モニタリング対象
２１：プロセッサ手段
２１’：プロセッサ、ＣＰＵ
２２：プロセッサ基盤
２３：ディスプレイコントローラ
２４：可視光学コード、ＱＲコード
２５：瞬時的測定値、データ
２６：可視警告サイン
２７：フォトセンサ、センサ
２７’：受信手段
２８：機能
２９：ユーザ
３０：測定装置
３１：製品、冷却デリバリ、パッケージ
３２：ディスプレイ
３２’：データ出力手段
３３：コンテキストデータ、情報
３４：ウェブコンテンツ
３５：コントローラ
３６：ＬＣＤディスプレイ
３７：リボン接続
３８：回路基盤
３９：Ｗｅｂブラウザ
６１、６５：ブロック
６２、６６：暗号化キー
６３、６４、６８：測定データ
６７：暗号化データ
４０１、４０２、４０３、４０４、４０５、４０６、４０７、４０８、４０９、５０２、５０３、５０４、５０６、５０７、５０８、５１０、５１１、６０１、６０２、６０３、６０４、６０５、６０６、６０７、６０８、６０９、６１０：ステージ
５０５：プロセス
ｃ１〜ｃ９：制御ライン
【図１】
2021502039.tif 000003
【図２】
2021502039.tif 000004
【図３】
2021502039.tif 000005
【図４】
2021502039.tif 000006
【図５】
2021502039.tif 000007
【図６】
2021502039.tif 000008
【図７】
2021502039.tif 000009
【図８ａ】
2021502039.tif 000010
【図８ｂ】
2021502039.tif 000011
【図８ｃ】
2021502039.tif 000012
【図９】
2021502039.tif 000013
【図１０ａ】
2021502039.tif 000014
【図１０ｂ】
2021502039.tif 000015
【図１１】
2021502039.tif 000016
【国際調査報告】
2021502039.tif 000017
2021502039.tif 000018
2021502039.tif 000019